(57)【要約】      （修正有）【課題】  外気を導入することなく室内空気の循環を通じて室内空気の浄化及び加湿を遂行する換気装置を提供する。【解決手段】  本体内に、相互に交差する第１と第２の空気通路を備える伝熱交換器と、室外空気が伝熱交換器の第１の空気通路を経て室内に流入する給気流路内の伝熱交換器の下流に設置された第１の送風ファンと、室内空気が伝熱交換器の第２の空気通路を経て室外に排出される排気流路の上流に設置された第２の送風ファンと、給気流路の伝熱交換器の上流側に第１の浄化フィルターと下流に加湿装置とを備え、第２の室内循環流路内に設置された第２の浄化フィルターと、給気流路を通して流入する室外空気と第１の室内循環流路の空気のうちいずれか一方が、伝熱交換器に流入する第１の流路切換装置と、伝熱交換器を通過した排気流路の空気が、排気流路を通して室外に排出、又は第２の室内循環流路を通して室内に排出される第２の流路切換装置とを備える。【選択図】      図２
2006125826.tif 000002
【特許請求の範囲】
【請求項１】
本体内に設置され、相互に区画状態に交差する第１の空気通路と第２の空気通路とを備える電熱交換機と、
室外空気が前記電熱交換機の第１の空気通路を経て室内に流入するように前記本体内に形成された給気流路と、
室内空気が前記電熱交換機の第２の空気通路を経て室外に排出されるようにする排気流路と、
室内空気が前記電熱交換機上流の前記給気流路に流入するようにする室内循環流路と、
前記給気流路の前記電熱交換機下流に設置された加湿装置と、
前記給気流路を通して流入する室外空気と前記室内循環流路の空気のうちいずれか一方が、前記電熱交換機に流入するように流路を切り換える流路切換装置とを備えることを特徴とする換気装置。
【請求項２】
前記給気流路内の前記電熱交換機下流に設置される第１の送風ファンと、前記排気流路内の前記電熱交換機上流に設置される第２の送風ファンとをさらに備えることを特徴とする請求項１に記載の換気装置。
【請求項３】
前記第１の送風ファンと前記第２の送風ファンが、横流ファンであることを特徴とする請求項２に記載の換気装置。
【請求項４】
前記給気流路の前記電熱交換機の上流側に設置される浄化フィルターをさらに含むことを特徴とする請求項２に記載の換気装置。
【請求項５】
前記流路切換装置が前記室内循環流路を閉鎖した状態で、前記第１及び第２の送風ファンが動作するときに、換気及び加湿並びに外部から導入される空気の浄化を遂行することを特徴とする請求項４に記載の換気装置。
【請求項６】
前記流路切換装置が、前記給気流路の流入側を閉鎖すると同時に、前記室内循環流路と前記電熱交換機の第１の空気通路とが連通するようにした状態で、前記第１の送風ファンが動作するときに、外気の導入なしで室内空気の循環がなされながら室内空気の加湿が遂行されるようにすることを特徴とする請求項４に記載の換気装置。
【請求項７】
前記給気流路、前記排気流路、前記室内循環流路は、前記本体の内部空間を区画する仕切り板によって区画されることを特徴とする請求項１に記載の換気装置。
【請求項８】
前記本体は、室内空間と連通するものとして、前記給気流路と連通する第１の室内流入口、前記室内循環流路と連通する第２の室内流入口及び前記排気流路と連通する室内排出口を備え、
室外空間と連通するものとして、前記給気流路と連通する室外流入口及び前記排気流路と連通する室外排出口を備えることを特徴とする請求項１に記載の換気装置。
【請求項９】
前記本体は、建物の両壁が会う角上部に設置しやすくなるように、少なくとも一つの側面が円弧形の曲面で形成され、
前記第１及び第２の室内流入口及び室内排出口が、前記円弧形の曲面に形成され、前記室外流入口と室外排出口が、前記建物の両壁と隣接する側面のうち少なくとも一側面に形成されることを特徴とする請求項７に記載の換気装置。
【請求項１０】
本体内に設置され、相互に区画状態に交差する第１の空気通路と第２の空気通路とを備える電熱交換機と、
室外空気が前記電熱交換機の第１の空気通路を経て室内に流入するように前記本体内に形成された給気流路と、
室内空気が前記電熱交換機の第２の空気通路を経て室外に排出されるようにする排気流路と、
前記電熱交換機を通過した前記排気流路の空気が、室内に排出されるようにする室内循環流路と、
前記給気流路に設置された第１の浄化フィルターと、
前記室内循環流路内に設置された第２の浄化フィルターと、
前記電熱交換機を通過した前記排気流路の空気が、前記排気流路を通して室外に排出されたり、前記室内循環流路を通して室内に排出されるように流路を切り換える流路切換装置とを備えることを特徴とする換気装置。
【請求項１１】
前記給気流路内の前記電熱交換機の下流に設置される第１の送風ファンと、前記排気流路内の前記電熱交換機の上流に設置される第２の送風ファンとをさらに備えることを特徴とする請求項１０に記載の換気装置。
【請求項１２】
前記第１の送風ファンと前記第２の送風ファンが、横流ファンであることを特徴とする請求項１１に記載の換気装置。
【請求項１３】
前記第１の浄化フィルターは、前記給気流路の前記電熱交換機の上流側に設置されることを特徴とする請求項１１に記載の換気装置。
【請求項１４】
前記流路切換装置が前記室内循環流路を閉鎖した状態で、前記第１及び第２の送風ファンが動作するときに、換気及び外部から導入する空気の浄化を遂行することを特徴とする請求項１３に記載の換気装置。
【請求項１５】
流路切換装置が、前記排気流路の室外側出口を閉鎖すると同時に、前記室内循環流路と前記電熱交換機の第２の空気通路とが連通するようにした状態で、前記第２の送風ファンが動作するときに、外気の導入なしで室内空気の循環がなされながら室内空気の浄化が遂行されるようにすることを特徴とする請求項１３に記載の換気装置。
【請求項１６】
前記給気流路、前記排気流路、前記室内循環流路は、前記本体の内部空間を区画する仕切り板によって区画されることを特徴とする請求項１０に記載の換気装置。
【請求項１７】
前記本体は、室内空間と連通するものとして、前記給気流路と連通する室内流入口、前記排気流路と連通する第１の室内排出口、及び前記室内循環流路と連通する第２の室内排出口を備え、
室外空間と連通するものとして、前記給気流路と連通する室外流入口及び前記排気流路と連通する室外排出口を備えることを特徴とする請求項１０に記載の換気装置。
【請求項１８】
前記本体は、建物の両壁が会う角上部に設置しやすくなるように、少なくとも一側面が円弧形の曲面で形成され、
前記室内流入口と前記第１及び第２の室内排出口が、前記円弧形の曲面に形成され、前記室外流入口と室外排出口が、前記建物の両壁と隣接する側面のうち少なくと一側面に形成されることを特徴とする請求項１７に記載の換気装置。
【請求項１９】
本体内に設置され、相互に区画状態に交差する第１の空気通路と第２の空気通路とを備える電熱交換機と、
室外空気が前記電熱交換機の第１の空気通路を経て室内に流入するように前記本体内に形成された給気流路と、
室内空気が前記電熱交換機の第２の空気通路を経て室外に排出されるようにする排気流路と、
室内空気が前記電熱交換機上流の前記給気流路に流入するようにする第１の室内循環流路と、
前記電熱交換機を通過した前記排気流路の空気が、室内に排出されるようにする第２の室内循環流路と、
前記給気流路の前記電熱交換機の上流側に設置された第１の浄化フィルターと、
前記第２の室内循環流路内に設置された第２の浄化フィルターと、
前記給気流路の前記電熱交換機の下流に設置された加湿装置と、
前記給気流路を通して流入する室外空気と前記第１の室内循環流路の空気のうちいずれか一方が、前記電熱交換機に流入するように流路を切り換える第１の流路切換装置と、
前記電熱交換機を通過した前記排気流路の空気が、前記排気流路を通して室外に排出されたり、前記第２の室内循環流路を通して室内に排出されるように流路を切り換える第２の流路切換装置とを備えることを特徴とする換気装置。
【請求項２０】
前記給気流路内の前記電熱交換機の下流に設置される第１の送風ファンと、前記排気流路内の前記電熱交換機の上流に設置される第２の送風ファンとをさらに備えることを特徴とする請求項１９に記載の換気装置。
【請求項２１】
前記給気流路、前記排気流路、前記第１の室内循環流路、前記第２の室内循環流路は、前記本体の内部空間を区画する仕切り板によって区画されることを特徴とする請求項２０に記載の換気装置。
【請求項２２】
前記第１の送風ファンと前記第２の送風ファンが、横流ファンであることを特徴とする請求項２１に記載の換気装置。
【請求項２３】
前記第１の流路切換装置が前記第１の室内循環流路を閉鎖し、前記第２の流路切換装置が前記第２の室内循環流路を閉鎖した状態で、前記第１及び第２の送風ファンが動作するときに、換気及び加湿並びに外部から導入する空気の浄化を遂行することを特徴とする請求項１９に記載の換気装置。
【請求項２４】
前記第１の流路切換装置が、前記給気流路の流入側を閉鎖すると同時に、前記第１の室内循環流路と前記電熱交換機の第１の空気通路とが連通するようにした状態で、前記第１の送風ファンが動作するときに、外気の導入なしで室内空気の循環がなされながら室内空気の加湿が遂行されるようにすることを特徴とする請求項１９に記載の換気装置。
【請求項２５】
前記第２の流路切換装置が、前記排気流路の室外側出口を閉鎖すると同時に、前記第２の室内循環流路と前記電熱交換機の第２の空気通路とが連通するようにした状態で、前記第２の送風ファンが動作するときに、外気の導入なしで室内空気の循環がなされながら室内空気の浄化が遂行されるようにすることを特徴とする請求項１９に記載の換気装置。
【請求項２６】
前記本体は、室内空間と連通するものとして、前記給気流路と連通する第１の室内流入口、前記第１の室内循環流路と連通する第２の室内流入口、前記排気流路と連通する第１の室内排出口、及び前記第２の室内循環流路と連通する第２の室内排出口を備え、
室外空間と連通するものとして、前記給気流路と連通する室外流入口及び前記排気流路と連通する室外排出口を備えることを特徴とする請求項１９に記載の換気装置。
【請求項２７】
前記本体は、建物の両壁が会う角上部に設置しやすくなるように、少なくとも一側面が円弧形の曲面で形成され、
前記第１及び第２の室内流入口と前記第１及び第２の室内排出口が、前記円弧形の曲面に形成され、前記室外流入口と室外排出口が、前記建物の両壁と隣接する側面のうちいずれか一側面に形成されることを特徴とする請求項２６に記載の換気装置。
【請求項２８】
室内空間の内部と連通する第１の室内流入口、第２の室内流入口、第１の室内排出口、及び第２の室内排出口を備え、室外空間と連通する室外流入口及び室外排出口を備える本体と、
前記本体内に設置され、相対向する第１の側面と第２の側面とが連通し、相対向する第３の側面と第４の側面とが連通する電熱交換機と、
前記室外流入口と前記電熱交換機の第１の側面が連通するように前記本体内に形成された第１の給気流路と、
前記電熱交換機の第２の側面と前記第１の室内排出口とが連通するように前記本体内に形成された第２の給気流路と、
前記第１の室内流入口と前記電熱交換機の第３の側面とが連通するように前記本体内に形成された第１の排気流路と、
前記電熱交換機の第４の側面と前記室外排出口とが連通するように前記本体内に形成された第２の排気流路と、
前記第２の室内流入口と前記電熱交換機の第１の側面とが連通するように前記本体内に形成された第１の室内循環流路と、
前記電熱交換機の第４の側面と前記第２の室内排出口とが連通するように前記本体内に形成された第２の室内循環流路と、
前記第１の排気流路内に設置された第１の送風ファンと、
前記第２の給気流路内に設置された第２の送風ファンと、
前記第１の給気流路内に設置された第１の浄化フィルターと、
前記第２の室内循環流路内に設置された第２の浄化フィルターと、
前記第２の給気流路内に設置された加湿装置と、
前記電熱交換機の第１の側面が、前記第１の給気流路と前記第１の室内循環流路のうちいずれか一方に選択的に連通するようにする第１の流路切換装置と、
前記電熱交換機の第４の側面が、前記第２の排気流路と前記第２の室内循環流路のうちいずれか一方に連通するようにする第２の流路切換装置とを備えることを特徴とする換気装置。
【発明の詳細な説明】
【技術分野】
【０００１】
本発明は、換気装置に関し、より詳細には、室外に排出される空気と室外から流入する空気との熱交換を通じて換気過程での熱損失が最小限に抑えられるようにする換気装置に関する。
【背景技術】
【０００２】
特許文献１には、室内から室外に排出される空気と室外から室内に流入する空気とが、換気過程で相互に熱交換されるようにする熱交換型の換気装置が開示されている。この換気装置は、室内側に内気流入口と外気排出口が形成されており、室外側に外気流入口と内気排出口が形成されたフレームを備え、該フレームの内部に、内気送風器、外気送風器及び熱交換器を備える。その他にも、フレームの内部には、浄化フィルター、ヒーター、加湿装置などが設置されている。
【０００３】
この換気装置は、内気送風器と外気送風器が動作するときに、室内側の内気流入口から流入する室内空気が、熱交換器を通過した後に室外側の内気排出口を通して外部に排出され、室外側の外気流入口から流入する室外空気が、浄化フィルター、熱交換器、ヒーター、加湿装置を順に通過した後に室内側の外気排出口を通して室内に供給される。このときに、室外と室内の空気は混ざり合わないまま熱交換器の内部を交差するように通過しながら相互に熱交換をする。
【０００４】
しかしながら、この種の換気装置は、冬に室内空間の加湿のために運転をする場合にも、室内空気が外部に排出され、室外空気が室内に流入する換気がなされるために、冷たい外気が導入されて室内空間の熱損失が大きくなるのみならず、導入される外気の温度が低い場合に、熱交換器に結露や結氷が生じる問題があった。
【０００５】
しかも、この種の換気装置は、外部から導入される室外空気のみを浄化または加湿して室内空気の調和を遂行する仕組みとなっているため、外気を導入することなく室内空気の循環だけで浄化及び加湿を遂行することはできない不具合があった。
【特許文献１】大韓民国公開特許公報２００１−１０７４０２号
【発明の開示】
【発明が解決しようとする課題】
【０００６】
本発明は、上記事情に鑑みてなされたものであり、その目的は、通常の換気機能はもとより、外気を導入することなく室内空気の循環だけで室内空気の加湿を遂行することができる換気装置を提供することにある。
【０００７】
本発明の他の目的は、通常の換気機能はもとより、外気を導入することなく室内空気の循環だけで室内空気の浄化を遂行することができる換気装置を提供することにある。
【０００８】
本発明のさらに他の目的は、外気を導入することなく空気浄化と加湿を共に遂行することができる換気装置を提供することにある。
【課題を解決するための手段】
【０００９】
上記目的を達成すべく、本発明による換気装置は、本体内に設置され、相互に区画状態に交差する第１の空気通路と第２の空気通路とを備える電熱交換機と、室外空気が前記電熱交換機の第１の空気通路を経て室内に流入するように前記本体内に形成された給気流路と、室内空気が前記電熱交換機の第２の空気通路を経て室外に排出されるようにする排気流路と、室内空気が前記電熱交換機上流の前記給気流路に流入するようにする室内循環流路と、前記給気流路の前記電熱交換機下流に設置された加湿装置と、前記給気流路を通して流入する室外空気と前記室内循環流路の空気のうちいずれか一方が、前記電熱交換機に流入するように流路を切り換える流路切換装置とを備えることを特徴とする。
【００１０】
また、本発明による換気装置は、本体内に設置され、相互に区画状態に交差する第１の空気通路と第２の空気通路とを備える電熱交換機と、室外空気が前記電熱交換機の第１の空気通路を経て室内に流入するように前記本体内に形成された給気流路と、室内空気が前記電熱交換機の第２の空気通路を経て室外に排出されるようにする排気流路と、前記電熱交換機を通過した前記排気流路の空気が、室内に排出されるようにする室内循環流路と、前記給気流路に設置された第１の浄化フィルターと、前記室内循環流路内に設置された第２の浄化フィルターと、前記電熱交換機を通過した前記排気流路の空気が、前記排気流路を通して室外に排出されたり、前記室内循環流路を通して室内に排出されるように流路を切り換える流路切換装置とを備えることを特徴とする。
【００１１】
また、本発明による換気装置は、本体内に設置され、相互に区画状態に交差する第１の空気通路と第２の空気通路とを備える電熱交換機と、室外空気が前記電熱交換機の第１の空気通路を経て室内に流入するように前記本体内に形成された給気流路と、室内空気が前記電熱交換機の第２の空気通路を経て室外に排出されるようにする排気流路と、室内空気が前記電熱交換機上流の前記給気流路に流入するようにする第１の室内循環流路と、前記電熱交換機を通過した前記排気流路の空気が、室内に排出されるようにする第２の室内循環流路と、前記給気流路の前記電熱交換機の上流側に設置された第１の浄化フィルターと、前記第２の室内循環流路内に設置された第２の浄化フィルターと、前記給気流路の前記電熱交換機の下流に設置された加湿装置と、前記給気流路を通して流入する室外空気と前記第１の室内循環流路の空気のうちいずれか一方が、前記電熱交換機に流入するように流路を切り換える第１の流路切換装置と、前記電熱交換機を通過した前記排気流路の空気が、前記排気流路を通して室外に排出されたり、前記第２の室内循環流路を通して室内に排出されるように流路を切り換える第２の流路切換装置とを備えることを特徴とする。
【００１２】
また、本発明による換気装置は、前記給気流路内の前記電熱交換機の下流に設置される第１の送風ファンと、前記排気流路内の前記電熱交換機の上流に設置される第２の送風ファンとをさらに備えることを特徴とする。
【００１３】
また、本発明による換気装置は、前記給気流路、前記排気流路、前記第１の室内循環流路、前記第２の室内循環流路が、前記本体の内部空間を区画する仕切り板によって区画されることを特徴とする。
【００１４】
また、前記第１の送風ファンと前記第２の送風ファンが、横流ファンであることを特徴とする。
【００１５】
また、本発明による換気装置は、前記第１の流路切換装置が前記第１の室内循環流路を閉鎖し、前記第２の流路切換装置が前記第２の室内循環流路を閉鎖した状態で、前記第１及び第２の送風ファンが動作するときに、換気及び加湿並びに外部から導入する空気の浄化を遂行することを特徴とする。
【００１６】
また、本発明による換気装置は、前記第１の流路切換装置が、前記給気流路の流入側を閉鎖すると同時に、前記第１の室内循環流路と前記電熱交換機の第１の空気通路とが連通するようにした状態で、前記第１の送風ファンが動作するときに、外気の導入なしで室内空気の循環がなされながら室内空気の加湿が遂行されるようにすることを特徴とする。
【００１７】
また、本発明による換気装置は、前記第２の流路切換装置が、前記排気流路の室外側出口を閉鎖すると同時に、前記第２の室内循環流路と前記電熱交換機の第２の空気通路とが連通するようにした状態で、前記第２の送風ファンが動作するときに、外気の導入なしで室内空気の循環がなされながら室内空気の浄化が遂行されるようにすることを特徴とする。
【００１８】
また、前記本体は、室内空間と連通するものとして、前記給気流路と連通する第１の室内流入口、前記第１の室内循環流路と連通する第２の室内流入口、前記排気流路と連通する第１の室内排出口、及び前記第２の室内循環流路と連通する第２の室内排出口を備え、室外空間と連通するものとして、前記給気流路と連通する室外流入口及び前記排気流路と連通する室外排出口を備えることを特徴とする。
【００１９】
また、前記本体は、建物の両壁が会う角上部に設置しやすくなるように、少なくとも一側面が円弧形の曲面で形成され、前記第１及び第２の室内流入口と前記第１及び第２の室内排出口が、前記円弧形の曲面に形成され、前記室外流入口と室外排出口が、前記建物の両壁と隣接する側面のうちいずれか一側面に形成されることを特徴とする。
【００２０】
また、本発明による換気装置は、室内空間の内部と連通する第１の室内流入口、第２の室内流入口、第１の室内排出口、及び第２の室内排出口を備え、室外空間と連通する室外流入口及び室外排出口を備える本体と、前記本体内に設置され、相対向する第１の側面と第２の側面とが連通し、相対向する第３の側面と第４の側面とが連通する電熱交換機と、前記室外流入口と前記電熱交換機の第１の側面が連通するように前記本体内に形成された第１の給気流路と、前記電熱交換機の第２の側面と前記第１の室内排出口とが連通するように前記本体内に形成された第２の給気流路と、前記第１の室内流入口と前記電熱交換機の第３の側面とが連通するように前記本体内に形成された第１の排気流路と、前記電熱交換機の第４の側面と前記室外排出口とが連通するように前記本体内に形成された第２の排気流路と、前記第２の室内流入口と前記電熱交換機の第１の側面とが連通するように前記本体内に形成された第１の室内循環流路と、前記電熱交換機の第４の側面と前記第２の室内排出口とが連通するように前記本体内に形成された第２の室内循環流路と、前記第１の排気流路内に設置された第１の送風ファンと、前記第２の給気流路内に設置された第２の送風ファンと、前記第１の給気流路内に設置された第１の浄化フィルターと、前記第２の室内循環流路内に設置された第２の浄化フィルターと、前記第２の給気流路内に設置された加湿装置と、前記電熱交換機の第１の側面が、前記第１の給気流路と前記第１の室内循環流路のうちいずれか一方に選択的に連通するようにする第１の流路切換装置と、前記電熱交換機の第４の側面が、前記第２の排気流路と前記第２の室内循環流路のうちいずれか一方に連通するようにする第２の流路切換装置とを備えることを特徴とする。
【発明の効果】
【００２１】
本発明による換気装置は、室内空気の循環のための第１及び第２の室内循環流路を備え、流路の切換のための第１及び第２の流路切換装置を備えるため、使用者の選択によって換気機能を遂行しながら空気浄化及び加湿を遂行することができるだけでなく、外気を導入することなく室内空気の循環だけを通じて室内空気の浄化及び加湿を遂行することが可能になる。
【００２２】
また、本発明による換気装置は、外気を導入することなく室内空気の循環だけを遂行しながら室内空気の浄化動作と室内空気の加湿動作を別途に遂行することが可能になる。
【発明を実施するための最良の形態】
【００２３】
以下、本発明の望ましい実施形態について、添付図面を参照しつつ詳細に説明する。
【００２４】
本発明による換気装置は、図１及び図２に示すように、建物の両壁が会う室内空間の角上部に、本体１０の上面が建物の天井と接するように設置される。このように建物の角上部に設置しやすくなるように、本体１０は、前方側の側面１１が円弧形の曲面で形成される。また、この本体１０は、図２及び図３に示すように、室内空間側の円弧形の側面１１に形成される第１の室内流入口１３、第２の室内流入口１４、第１の室内排出口１５、第２の室内排出口１６とを備え、建物の一側壁と隣接する本体１０の後方側面１２に形成される室外流入口１７と室外排出口１８とを備える。
【００２５】
本体１０の内部には、室外から流入する空気と室内から排出される空気との熱交換のための電熱交換機２０が設置される。この電熱交換機２０は、通常の電熱交換機と同様に、相対向する第１の側面２１と第２の側面２２が第１の空気通路２５を介して連通し、相対向する第３の側面２３と第４の側面２４が、第１の空気通路２５と区画される第２の空気通路２６を介して連通する。これは、室内空気と室外空気が、相互に交差するように配置され、かつ相互に区画される電熱交換機２０の第１の空気通路２５と第２の空気通路２６を通過することによって熱交換されるようにしたものである。
【００２６】
また、本発明による換気装置は、室内空間の換気のために、室外流入口１７から流入する室外空気が、電熱交換機２０の第１の空気通路２５を経て第１の室内排出口１５を通して排出されるようにする給気流路と、第１の室内流入口１３から流入する室内空気が、電熱交換機２０の第２の空気通路２６を経て室外排出口１８を通して排出されるようにする排気流路とを備える。
【００２７】
給気流路は、室外流入口１７と電熱交換機２０の第１の側面２１とが連通するように本体１０内に形成される第１の給気流路３１と、電熱交換機２０の第２の側面２２と第１の室内排出口１５とが連通するように本体１０内に形成される第２の給気流路３２とからなる。この給気流路は、室外空気が、第１の給気流路３１、電熱交換機２０の第１の空気通路２５、第２の給気流路３２、第１の室内排出口１５を順に経て室内空間に供給されるようにする。また、第２の給気流路３２の内部には、給気流路を通して空気が送風されるように第１の送風ファン４１が設置され、電熱交換機２０上流の第１の給気流路３１の内部には、外部から流入する空気を浄化する第１の浄化フィルター４３が設置される。また、電熱交換機２０下流の第２の給気流路３２には、第２の給気流路３２を通して室内に供給される空気を加湿する加湿装置４４が設置される。
【００２８】
排気流路は、第１の室内流入口１３と電熱交換機２０の第３の側面２３とが連通するように本体１０内に形成される第１の排気流路３３と、電熱交換機２０の第４の側面２４と室外排出口１８とが連通するように本体１０内に形成される第２の排気流路３４とからなる。この排気流路は、室内空気が、第１の室内流入口１３、第１の排気流路３３、電熱交換機２０の第２の空気通路２６、第２の排気流路３４、室外排出口１８を順に経て室外に排気されるようにする。また、第１の排気流路３３の内部には、排気流路を通して空気が送風されるように第２の送風ファン４２が設置される。
【００２９】
ここで、第２の給気流路３２内の第１の送風ファン４１と第１の排気流路３３内の第２の送風ファン４２は、本体１０の内部構成を簡素化し、空間占有を最小化しながらも円滑な送風を可能にすべく、それぞれスタビライザー４１ａ，４２ａを備えた通常の横流ファンからなる。
【００３０】
また、本発明は、外気を導入することなく室内空気の循環を通じて室内空気の加湿を別途に遂行可能にする第１の室内循環流路３５と、外気を導入することなく室内空気の循環を通じて室内空気の浄化を別途に遂行可能にする第２の室内循環流路３６とを備える。
【００３１】
第１の室内循環流路３５は、第２の室内流入口１４と電熱交換機２０の第１の側面２１とが連通するように本体１０内に形成される。これは、第２の室内流入口１４から流入する空気が、電熱交換機２０の第１の空気通路２５上流側に流入するように構成したものである。また、第１の給気流路３１と第１の室内循環流路３５とが合う地点には、室外流入口１７から流入する空気と第１の室内循環流路３５の空気のうちいずれか一方が、電熱交換機２０の第１の空気通路２５に流入するように流路を選択して切り換えうる第１の流路切換装置５１が設置される。この第１の流路切換装置５１は、第１の給気流路３１及び第１の室内循環流路３５の出口が選択的に閉鎖されるように回転可能に設置されるダンパーと、これを駆動する駆動モーターとからなる。
【００３２】
したがって、第１の室内循環流路３５は、図６に示すように、第１の流路切換装置５１によって第１の給気流路３１が閉鎖された状態で、第１の送風ファン４１が動作するときに、第２の室内流入口１４から流入する空気が、第１の室内循環流路３５、電熱交換機２０の第１の空気通路２５、加湿装置４４、第２の給気流路３２、第１の室内排出口１５を順に経て循環するようにすることによって、外気を導入することなく室内空間の加湿を遂行可能にする。
【００３３】
第２の室内循環流路３６は、電熱交換機２０の第４の側面２４と第２の室内排出口１６とが連通するように本体１０内に形成される。この第２の室内循環流路３６は、電熱交換機２０の第２の空気通路２６を通った空気が、第２の排気流路３４を通して室外に排出されず、第２の室内排出口１６を通して室内に排出されるようにする。また、この第２の室内循環流路３６の内部には、第２の室内循環流路３６を通して室内に供給される空気を浄化する第２の浄化フィルター４５が設置される。また、第２の室内循環流路３６と第２の排気流路３４とが合う地点には、電熱交換機２０の第２の空気通路２６を通った空気が、室外に排出されたり第２の室内循環流路３６を通して室内に排出されるように流路を切り換える第２の流路切換装置５２が設置される。この第２の流路切換装置５２もまた、第２の排気流路３４及び第２の室内循環流路３６の入口を選択的に閉鎖するように回転可能に設置されるダンパーと、これを駆動する駆動モーターとからなる。
【００３４】
したがって、第２の室内循環流路３６は、図５に示すように、第２の流路切換装置５２によって第２の排気流路３４が閉鎖された状態で、第２の送風ファン４２が動作するときに、第１の室内流入口１３から流入する室内空気が、第１の排気流路３３、電熱交換機２０の第２の空気通路２６、第２の室内循環流路３６、第２の浄化フィルター４５、第２の室内排出口１６を順に経て循環するようにすることによって、外気を導入することなく室内空間の浄化を遂行可能にする。
【００３５】
一方、このように構成される換気装置において、本体１０内の各流路は、通常の換気装置と同様に、本体１０内の空間に設置される複数枚の仕切り板６１，６２，６３，６４，６５，６６，６７で相互に区画される。
【００３６】
次に、上記のように構成される換気装置の動作について説明する。
【００３７】
室内空間の換気を遂行するときには、図２及び図３に示すように、第１の流路切換装置５１によって第１の室内循環流路３５が閉鎖され、第２の流路切換装置５２によって第２の室内循環流路３６が閉鎖され、第１及び第２の送風ファン４１，４２が共に動作し、加湿装置４４が駆動される。したがって、室外空気は、室外流入口１７、第１の給気流路３１、第１の浄化フィルター４３、電熱交換機２０の第１の空気通路２５、加湿装置４４、第２の給気流路３２、第１の室内排出口１５を順に経て室内空間に供給される。このときに、流入する室外空気は、第１の浄化フィルター４３を通りつつ浄化され、加湿装置４４を通りつつ加湿される。一方、室内空気は、第１の室内流入口１３、第１の排気流路３３、電熱交換機の第２の空気通路２６、第２の排気流路３４、室外排出口１８を順に経て室外に排出される。
【００３８】
室内空気を換気させずに(すなわち、外気を導入することなく)室内空気の浄化と加湿を同時に遂行するときには、図４に示すように、第１及び第２の流路切換装置５１，５２の動作によって室外流入口１７と室外排出口１８側が閉鎖される一方で、第１の室内循環流路３５が電熱交換機２０の第１の側面２１と連通し、第２の室内循環流路３６が電熱交換機２０の第４の側面２４と連通する。また、第１及び第２の送風ファン４１，４２が共に動作し、加湿装置４４が駆動される。このときには、第１の室内流入口１３から流入する室内空気が、第１の排気流路３３、電熱交換機２０の第２の空気通路２６、第２の室内循環流路３６、第２の浄化フィルター４５を経た後に、第２の室内排出口１６を通して排出される。一方、第２の室内流入口１４から流入する室内空気は、第１の室内循環流路３５、電熱交換機２０の第１の空気通路２５、加湿装置４４、第２の給気流路３２を経て第１の室内排出口１５を通して排出される。これによって、外気を導入することなく室内空気の循環だけを通じて室内空気の浄化と加湿を遂行することが可能になる。
【００３９】
外気を導入することなく室内空気の浄化だけを単独で遂行するときには、図５に示すように、第２の流路切換装置５２によって室外排出口１８側が閉鎖され、第２の室内循環流路３６が電熱交換機２０の第４の側面２４と連通した状態で、第２の送風ファン４２だけが動作する。したがって、このときには、第１の室内流入口１３から流入する室内空気が、第１の排気流路３３、電熱交換機２０の第２の空気通路２６、第２の室内循環流路３６、第２の浄化フィルター４５を経た後に、第２の室内排出口１６を通して排出されるため、外気を導入することなく室内空気の浄化を遂行することが可能になる。
外気を導入することなく室内空気の加湿だけを単独で遂行するときには、図６に示すように、第１の流路切換装置５１によって室外流入口１７側が閉鎖され、第１の室内循環流路３５が電熱交換機２０の第１の側面２１と連通した状態で、第１の送風ファン４１だけが動作する。また、加湿装置４４も動作する。したがって、このときには、第２の室内流入口１４から流入する室内空気が、第１の室内循環流路３５、電熱交換機２０の第１の空気通路２５、加湿装置４４、第２の給気流路３２を経た後に、第１の室内排出口１５を通して室内に排出されるため、外気を導入することなく室内空気の加湿を遂行することが可能になる。
【図面の簡単な説明】
【００４０】
【図１】本発明による換気装置が建物に取り付けられた状態を示す斜視図である。
【図２】本発明による換気装置の内部構成を示す斜視図であって、換気動作を示すものである。
【図３】本発明による換気装置の内部構成を示す断面図であって、換気動作を示すものである。
【図４】本発明による換気装置の内部構成を示す断面図であって、外気を導入することなく室内空気の加湿及び浄化動作を遂行する状態を示すものである。
【図５】本発明による換気装置の内部構成を示す断面図であって、外気を導入することなく室内空気の浄化を単独で遂行する状態を示すものである。
【図６】本発明による換気装置の内部構成を示す断面図であって、外気を導入することなく室内空気の加湿を単独で遂行する状態を示すものである。
【符号の説明】
【００４１】
１０  本体
１３  第１の室内流入口
１４  第２の室内流入口
１５  第１の室内排出口
１６  第２の室内排出口
１７  室外流入口
１８  室外排出口
２０  電熱交換機
２５  第１の空気通路
２６  第２の空気通路
３１  第１の給気流路
３２  第２の給気流路
３３  第１の排気流路
３４  第２の排気流路
３５  第１の室内循環流路
３６  第２の室内循環流路
４１  第１の送風ファン
４２  第２の送風ファン
４３  第１の浄化フィルター
４４  加湿装置
４５  第２の浄化フィルター
５１  第１の流路切換装置
５２  第２の流路切換装置
【図１】
2006125826.tif 000003
【図２】
2006125826.tif 000004
【図３】
2006125826.tif 000005
【図４】
2006125826.tif 000006
【図５】
2006125826.tif 000007
【図６】
2006125826.tif 000008
【手続補正書】
【提出日】平成18年3月7日(2006.3.7)
【手続補正１】
【補正対象書類名】特許請求の範囲
【補正対象項目名】全文
【補正方法】変更
【補正の内容】
【特許請求の範囲】
【請求項１】
本体内に設置され、相互に区画状態に交差する第１の空気通路と第２の空気通路とを備える転熱交換器と、
室外空気が前記転熱交換器の第１の空気通路を経て室内に流入するように前記本体内に形成された給気流路と、
室内空気が前記転熱交換器の第２の空気通路を経て室外に排出されるようにする排気流路と、
室内空気が前記転熱交換器上流の前記給気流路に流入するようにする室内循環流路と、
前記給気流路の前記転熱交換器下流に設置された加湿装置と、
前記給気流路を通して流入する室外空気と前記室内循環流路の空気のうちいずれか一方が、前記転熱交換器に流入するように流路を切り換える流路切換装置とを備えることを特徴とする換気装置。
【請求項２】
前記給気流路内の前記転熱交換器下流に設置される第１の送風ファンと、前記排気流路内の前記転熱交換器上流に設置される第２の送風ファンと、をさらに備えることを特徴とする請求項１に記載の換気装置。
【請求項３】
前記第１の送風ファンと前記第２の送風ファンが、横流ファンであることを特徴とする請求項２に記載の換気装置。
【請求項４】
前記給気流路の前記転熱交換器の上流側に設置される浄化フィルターをさらに含むことを特徴とする請求項２に記載の換気装置。
【請求項５】
前記流路切換装置が前記室内循環流路を閉鎖した状態で、前記第１及び第２の送風ファンが動作することによって、換気及び加湿が行われるようにすることを特徴とする請求項４に記載の換気装置。
【請求項６】
前記流路切換装置が、前記給気流路の流入側を閉鎖すると同時に、前記室内循環流路と前記転熱交換器の第１の空気通路とが連通するようにした状態で、前記第１の送風ファンが動作することによって、外気の導入なしで室内空気の循環がなされながら室内空気の加湿が遂行されるようにすることを特徴とする請求項４に記載の換気装置。
【請求項７】
前記給気流路、前記排気流路、前記室内循環流路は、前記本体の内部空間を区画する仕切り板によって区画されることを特徴とする請求項１に記載の換気装置。
【請求項８】
前記本体は、室内空間と連通するものとして、前記排気流路と連通する第１の室内流入口、前記室内循環流路と連通する第２の室内流入口、及び前記給気流路と連通する室内排出口を備え、
室外空間と連通するものとして、前記給気流路と連通する室外流入口及び前記排気流路と連通する室外排出口を備えることを特徴とする請求項１に記載の換気装置。
【請求項９】
前記本体は、建物の両壁が会う角上部に設置しやすくなるように、少なくとも一つの側面が円弧形の曲面で形成され、
前記第１及び第２の室内流入口及び室内排出口が、前記円弧形の曲面に形成され、前記室外流入口と室外排出口が、前記建物の両壁と隣接する側面のうち少なくとも一側面に形成されることを特徴とする請求項７に記載の換気装置。
【請求項１０】
本体内に設置され、相互に区画状態に交差する第１の空気通路と第２の空気通路とを備える転熱交換器と、
室外空気が前記転熱交換器の第１の空気通路を経て室内に流入するように前記本体内に形成された給気流路と、
室内空気が前記転熱交換器の第２の空気通路を経て室外に排出されるようにする排気流路と、
前記転熱交換器を通過した前記排気流路の空気が、室内に排出されるようにする室内循環流路と、
前記室内循環流路内に設置された浄化フィルターと、
前記転熱交換器を通過した前記排気流路の空気が、前記排気流路を通して室外に排出されたり、前記室内循環流路を通して室内に排出されるように流路を切り換える流路切換装置とを備えることを特徴とする換気装置。
【請求項１１】
前記給気流路内の前記転熱交換器の下流に設置される第１の送風ファンと、前記排気流路内の前記転熱交換器の上流に設置される第２の送風ファンと、をさらに備えることを特徴とする請求項１０に記載の換気装置。
【請求項１２】
前記第１の送風ファンと前記第２の送風ファンが、横流ファンであることを特徴とする請求項１１に記載の換気装置。
【請求項１３】
前記第１の浄化フィルターは、前記給気流路の前記転熱交換器の上流側に設置されることを特徴とする請求項１１に記載の換気装置。
【請求項１４】
前記流路切換装置が前記室内循環流路を閉鎖した状態で、前記第１及び第２の送風ファンが動作することによって換気が行われるようにすることを特徴とする請求項１３に記載の換気装置。
【請求項１５】
流路切換装置が、前記排気流路の室外側出口を閉鎖すると同時に、前記室内循環流路と前記転熱交換器の第２の空気通路とが連通するようにした状態で、前記第２の送風ファンが動作することによって、外気の導入なしで室内空気の循環がなされながら室内空気の浄化が遂行されるようにすることを特徴とする請求項１３に記載の換気装置。
【請求項１６】
前記給気流路、前記排気流路、前記室内循環流路は、前記本体の内部空間を区画する仕切り板によって区画されることを特徴とする請求項１０に記載の換気装置。
【請求項１７】
前記本体は、室内空間と連通するものとして、前記給気流路と連通する第１の室内排出口、前記室内循環流路と連通する第２の室内排出口、及び前記排気流路と連通する室内流入口を備え、
室外空間と連通するものとして、前記給気流路と連通する室外流入口及び前記排気流路と連通する室外排出口を備えることを特徴とする請求項１０に記載の換気装置。
【請求項１８】
前記本体は、建物の両壁が会う角上部に設置しやすくなるように、少なくとも一側面が円弧形の曲面で形成され、
前記室内流入口と前記第１及び第２の室内排出口が、前記円弧形の曲面に形成され、前記室外流入口と室外排出口が、前記建物の両壁と隣接する側面のうち少なくとも一側面に形成されることを特徴とする請求項１７に記載の換気装置。
【請求項１９】
本体内に設置され、相互に区画状態に交差する第１の空気通路と第２の空気通路とを備える転熱交換器と、
室外空気が前記転熱交換器の第１の空気通路を経て室内に流入するように前記本体内に形成された給気流路と、
室内空気が前記転熱交換器の第２の空気通路を経て室外に排出されるようにする排気流路と、
室内空気が前記転熱交換器上流の前記給気流路に流入するようにする第１の室内循環流路と、
前記転熱交換器を通過した前記排気流路の空気が、室内に排出されるようにする第２の室内循環流路と、
前記転熱交換器第２の室内循環流路内に設置された浄化フィルターと、
前記給気流路の前記転熱交換器の下流に設置された加湿装置と、
前記給気流路を通して流入する室外空気と前記第１の室内循環流路の空気のうちいずれか一方が、前記転熱交換器に流入するように流路を切り換える第１の流路切換装置と、
前記転熱交換器を通過した前記排気流路の空気が、前記排気流路を通して室外に排出されたり、前記第２の室内循環流路を通して室内に排出されるように流路を切り換える第２の流路切換装置とを備えることを特徴とする換気装置。
【請求項２０】
前記給気流路内の前記転熱交換器の下流に設置される第１の送風ファンと、前記排気流路内の前記転熱交換器の上流に設置される第２の送風ファンと、をさらに備えることを特徴とする請求項１９に記載の換気装置。
【請求項２１】
前記給気流路、前記排気流路、前記第１の室内循環流路、前記第２の室内循環流路は、前記本体の内部空間を区画する仕切り板によって区画されることを特徴とする請求項２０に記載の換気装置。
【請求項２２】
前記第１の送風ファンと前記第２の送風ファンが、横流ファンであることを特徴とする請求項２１に記載の換気装置。
【請求項２３】
前記第１の流路切換装置が前記第１の室内循環流路を閉鎖し、前記第２の流路切換装置が前記第２の室内循環流路を閉鎖した状態で、前記第１及び第２の送風ファンが動作することによって換気及び加湿が行われるようにすることを特徴とする請求項１９に記載の換気装置。
【請求項２４】
前記第１の流路切換装置が、前記給気流路の室外側の流入側を閉鎖すると同時に、前記第１の室内循環流路と前記転熱交換器の第１の空気通路とが連通するようにした状態で、前記第１の送風ファンが動作することによって、外気の導入なしで室内空気の循環がなされながら室内空気の加湿が遂行されるようにすることを特徴とする請求項１９に記載の換気装置。
【請求項２５】
前記第２の流路切換装置が、前記排気流路の室外側出口を閉鎖すると同時に、前記第２の室内循環流路と前記転熱交換器の第２の空気通路とが連通するようにした状態で、前記第２の送風ファンが動作することによって、外気の導入なしで室内空気の循環がなされながら室内空気の浄化が遂行されるようにすることを特徴とする請求項１９に記載の換気装置。
【請求項２６】
前記本体は、室内空間と連通するものとして、前記排気流路と連通する第１の室内流入口、前記第１の室内循環流路と連通する第２の室内流入口、前記給気流路と連通する第１の室内排出口、及び前記第２の室内循環流路と連通する第２の室内排出口を備え、
室外空間と連通するものとして、前記給気流路と連通する室外流入口及び前記排気流路と連通する室外排出口を備えることを特徴とする請求項１９に記載の換気装置。
【請求項２７】
前記本体は、建物の両壁が会う角上部に設置しやすくなるように、少なくとも一側面が円弧形の曲面で形成され、
前記第１及び第２の室内流入口と前記第１及び第２の室内排出口が、前記円弧形の曲面に形成され、前記室外流入口と室外排出口が、前記建物の両壁と隣接する側面のうちいずれか一側面に形成されることを特徴とする請求項２６に記載の換気装置。
【請求項２８】
室内空間の内部と連通する第１の室内流入口、第２の室内流入口、第１の室内排出口、及び第２の室内排出口を備え、室外空間と連通する室外流入口及び室外排出口を備える本体と、
前記本体内に設置され、相対向する第１の側面と第２の側面とが連通し、相対向する第３の側面と第４の側面とが連通する転熱交換器と、
前記室外流入口と前記転熱交換器の第１の側面が連通するように前記本体内に形成された第１の給気流路と、
前記転熱交換器の第２の側面と前記第１の室内排出口とが連通するように前記本体内に形成された第２の給気流路と、
前記第１の室内流入口と前記転熱交換器の第３の側面とが連通するように前記本体内に形成された第１の排気流路と、
前記転熱交換器の第４の側面と前記室外排出口とが連通するように前記本体内に形成された第２の排気流路と、
前記第２の室内流入口と前記転熱交換器の第１の側面とが連通するように前記本体内に形成された第１の室内循環流路と、
前記転熱交換器の第４の側面と前記第２の室内排出口とが連通するように前記本体内に形成された第２の室内循環流路と、
前記第１の排気流路内に設置された第１の送風ファンと、
前記第２の給気流路内に設置された第２の送風ファンと、
前記第１の給気流路内に設置された第１の浄化フィルターと、
前記第２の室内循環流路内に設置された第２の浄化フィルターと、
前記第２の給気流路内に設置された加湿装置と、
前記転熱交換器の第１の側面が、前記第１の給気流路と前記第１の室内循環流路のうちいずれか一方に選択的に連通するようにする第１の流路切換装置と、
前記転熱交換器の第４の側面が、前記第２の排気流路と前記第２の室内循環流路のうちいずれか一方に連通するようにする第２の流路切換装置とを備えることを特徴とする換気装置。
【手続補正２】
【補正対象書類名】明細書
【補正対象項目名】全文
【補正方法】変更
【補正の内容】
【発明の詳細な説明】
【技術分野】
【０００１】
本発明は、換気装置に関し、より詳細には、室外に排出される空気と室外から流入する空気との熱交換を通じて換気過程での熱損失が最小限に抑えられるようにする換気装置に関する。
【背景技術】
【０００２】
特許文献１には、室内から室外に排出される空気と室外から室内に流入する空気とが、換気過程で相互に熱交換されるようにする熱交換型の換気装置が開示されている。この換気装置は、室内側に内気流入口と外気排出口が形成されており、室外側に外気流入口と内気排出口が形成されたフレームを備え、該フレームの内部に、内気送風器、外気送風器及び熱交換器を備える。その他にも、フレームの内部には、浄化フィルター、ヒーター、加湿装置などが設置されている。
【０００３】
この換気装置は、内気送風器と外気送風器が動作するときに、室内側の内気流入口から流入する室内空気が、熱交換器を通過した後に室外側の内気排出口を通して外部に排出され、室外側の外気流入口から流入する室外空気が、浄化フィルター、熱交換器、ヒーター、加湿装置を順に通過した後に室内側の外気排出口を通して室内に供給される。このときに、室外と室内の空気は混ざり合わないまま熱交換器の内部を交差するように通過しながら相互に熱交換をする。
【０００４】
しかしながら、この種の換気装置は、冬に室内空間の加湿のために運転をする場合にも、室内空気が外部に排出され、室外空気が室内に流入する換気がなされるために、冷たい外気が導入されて室内空間の熱損失が大きくなるのみならず、導入される外気の温度が低い場合に、熱交換器に結露や結氷が生じる問題があった。
【０００５】
しかも、この種の換気装置は、外部から導入される室外空気のみを浄化または加湿して室内空気の調和を遂行する仕組みとなっているため、外気を導入することなく室内空気の循環だけで浄化及び加湿を遂行することはできない不具合があった。
【特許文献１】大韓民国公開特許公報２００１−１０７４０２号
【発明の開示】
【発明が解決しようとする課題】
【０００６】
本発明は、上記事情に鑑みてなされたものであり、その目的は、通常の換気機能はもとより、外気を導入することなく室内空気の循環だけで室内空気の加湿を遂行することができる換気装置を提供することにある。
【０００７】
本発明の他の目的は、通常の換気機能はもとより、外気を導入することなく室内空気の循環だけで室内空気の浄化を遂行することができる換気装置を提供することにある。
【０００８】
本発明のさらに他の目的は、外気を導入することなく空気浄化と加湿を共に遂行することができる換気装置を提供することにある。
【課題を解決するための手段】
【０００９】
上記目的を達成すべく、本発明による換気装置は、本体内に設置され、相互に区画状態に交差する第１の空気通路と第２の空気通路とを備える転熱交換器と、室外空気が前記転熱交換器の第１の空気通路を経て室内に流入するように前記本体内に形成された給気流路と、室内空気が前記転熱交換器の第２の空気通路を経て室外に排出されるようにする排気流路と、室内空気が前記転熱交換器上流の前記給気流路に流入するようにする室内循環流路と、前記給気流路の前記転熱交換器下流に設置された加湿装置と、前記給気流路を通して流入する室外空気と前記室内循環流路の空気のうちいずれか一方が、前記転熱交換器に流入するように流路を切り換える流路切換装置と、を備えることを特徴とする。
【００１０】
また、本発明による換気装置は、本体内に設置され、相互に区画状態に交差する第１の空気通路と第２の空気通路とを備える転熱交換器と、室外空気が前記転熱交換器の第１の空気通路を経て室内に流入するように前記本体内に形成された給気流路と、室内空気が前記転熱交換器の第２の空気通路を経て室外に排出されるようにする排気流路と、前記転熱交換器を通過した前記排気流路の空気が、室内に排出されるようにする室内循環流路と、前記給気流路に設置された第１の浄化フィルターと、前記室内循環流路内に設置された第２の浄化フィルターと、前記転熱交換器を通過した前記排気流路の空気が、前記排気流路を通して室外に排出されたり、前記室内循環流路を通して室内に排出されるように流路を切り換える流路切換装置と、を備えることを特徴とする。
【００１１】
また、本発明による換気装置は、本体内に設置され、相互に区画状態に交差する第１の空気通路と第２の空気通路とを備える転熱交換器と、室外空気が前記転熱交換器の第１の空気通路を経て室内に流入するように前記本体内に形成された給気流路と、室内空気が前記転熱交換器の第２の空気通路を経て室外に排出されるようにする排気流路と、室内空気が前記転熱交換器上流の前記給気流路に流入するようにする第１の室内循環流路と、前記転熱交換器を通過した前記排気流路の空気が、室内に排出されるようにする第２の室内循環流路と、前記給気流路の前記転熱交換器の上流側に設置された第１の浄化フィルターと、前記第２の室内循環流路内に設置された第２の浄化フィルターと、前記給気流路の前記転熱交換器の下流に設置された加湿装置と、前記給気流路を通して流入する室外空気と前記第１の室内循環流路の空気のうちいずれか一方が、前記転熱交換器に流入するように流路を切り換える第１の流路切換装置と、前記転熱交換器を通過した前記排気流路の空気が、前記排気流路を通して室外に排出されたり、前記第２の室内循環流路を通して室内に排出されるように流路を切り換える第２の流路切換装置と、を備えることを特徴とする。
【００１２】
また、本発明による換気装置は、前記給気流路内の前記転熱交換器の下流に設置される第１の送風ファンと、前記排気流路内の前記転熱交換器の上流に設置される第２の送風ファンと、をさらに備えることを特徴とする。
【００１３】
また、本発明による換気装置は、前記給気流路、前記排気流路、前記第１の室内循環流路、前記第２の室内循環流路が、前記本体の内部空間を区画する仕切り板によって区画されることを特徴とする。
【００１４】
また、前記第１の送風ファンと前記第２の送風ファンが、横流ファンであることを特徴とする。
【００１５】
また、本発明による換気装置は、前記第１の流路切換装置が前記第１の室内循環流路を閉鎖し、前記第２の流路切換装置が前記第２の室内循環流路を閉鎖した状態で、前記第１及び第２の送風ファンが動作するときに、換気及び加湿並びに外部から導入する空気の浄化を遂行することを特徴とする。
【００１６】
また、本発明による換気装置は、前記第１の流路切換装置が、前記給気流路の流入側を閉鎖すると同時に、前記第１の室内循環流路と前記転熱交換器の第１の空気通路とが連通するようにした状態で、前記第１の送風ファンが動作するときに、外気の導入なしで室内空気の循環がなされながら室内空気の加湿が遂行されるようにすることを特徴とする。
【００１７】
また、本発明による換気装置は、前記第２の流路切換装置が、前記排気流路の室外側出口を閉鎖すると同時に、前記第２の室内循環流路と前記転熱交換器の第２の空気通路とが連通するようにした状態で、前記第２の送風ファンが動作するときに、外気の導入なしで室内空気の循環がなされながら室内空気の浄化が遂行されるようにすることを特徴とする。
【００１８】
また、前記本体は、室内空間と連通するものとして、前記給気流路と連通する第１の室内流入口、前記第１の室内循環流路と連通する第２の室内流入口、前記排気流路と連通する第１の室内排出口、及び前記第２の室内循環流路と連通する第２の室内排出口を備え、室外空間と連通するものとして、前記給気流路と連通する室外流入口及び前記排気流路と連通する室外排出口を備えることを特徴とする。
【００１９】
また、前記本体は、建物の両壁が会う角上部に設置しやすくなるように、少なくとも一側面が円弧形の曲面で形成され、前記第１及び第２の室内流入口と前記第１及び第２の室内排出口が、前記円弧形の曲面に形成され、前記室外流入口と室外排出口が、前記建物の両壁と隣接する側面のうちいずれか一側面に形成されることを特徴とする。
【００２０】
また、本発明による換気装置は、室内空間の内部と連通する第１の室内流入口、第２の室内流入口、第１の室内排出口、及び第２の室内排出口を備え、室外空間と連通する室外流入口及び室外排出口を備える本体と、前記本体内に設置され、相対向する第１の側面と第２の側面とが連通し、相対向する第３の側面と第４の側面とが連通する転熱交換器と、前記室外流入口と前記転熱交換器の第１の側面が連通するように前記本体内に形成された第１の給気流路と、前記転熱交換器の第２の側面と前記第１の室内排出口とが連通するように前記本体内に形成された第２の給気流路と、前記第１の室内流入口と前記転熱交換器の第３の側面とが連通するように前記本体内に形成された第１の排気流路と、前記転熱交換器の第４の側面と前記室外排出口とが連通するように前記本体内に形成された第２の排気流路と、前記第２の室内流入口と前記転熱交換器の第１の側面とが連通するように前記本体内に形成された第１の室内循環流路と、前記転熱交換器の第４の側面と前記第２の室内排出口とが連通するように前記本体内に形成された第２の室内循環流路と、前記第１の排気流路内に設置された第１の送風ファンと、前記第２の給気流路内に設置された第２の送風ファンと、前記第１の給気流路内に設置された第１の浄化フィルターと、前記第２の室内循環流路内に設置された第２の浄化フィルターと、前記第２の給気流路内に設置された加湿装置と、前記転熱交換器の第１の側面が、前記第１の給気流路と前記第１の室内循環流路のうちいずれか一方に選択的に連通するようにする第１の流路切換装置と、前記転熱交換器の第４の側面が、前記第２の排気流路と前記第２の室内循環流路のうちいずれか一方に連通するようにする第２の流路切換装置と、を備えることを特徴とする。
【発明の効果】
【００２１】
本発明による換気装置は、室内空気の循環のための第１及び第２の室内循環流路を備え、流路の切換のための第１及び第２の流路切換装置を備えるため、使用者の選択によって換気機能を遂行しながら空気浄化及び加湿を遂行することができるだけでなく、外気を導入することなく室内空気の循環だけを通じて室内空気の浄化及び加湿を遂行することが可能になる。
【００２２】
また、本発明による換気装置は、外気を導入することなく室内空気の循環だけを遂行しながら室内空気の浄化動作と室内空気の加湿動作を別途に遂行することが可能になる。
【発明を実施するための最良の形態】
【００２３】
以下、本発明の望ましい実施形態について、添付図面を参照しつつ詳細に説明する。
【００２４】
本発明による換気装置は、図１及び図２に示すように、建物の両壁が会う室内空間の角上部に、本体１０の上面が建物の天井と接するように設置される。このように建物の角上部に設置しやすくなるように、本体１０は、前方側の側面１１が円弧形の曲面で形成される。また、この本体１０は、図２及び図３に示すように、室内空間側の円弧形の側面１１に形成される第１の室内流入口１３、第２の室内流入口１４、第１の室内排出口１５、第２の室内排出口１６とを備え、建物の一側壁と隣接する本体１０の後方側面１２に形成される室外流入口１７と室外排出口１８とを備える。
【００２５】
本体１０の内部には、室外から流入する空気と室内から排出される空気との熱交換のための転熱交換器２０が設置される。この転熱交換器２０は、通常の転熱交換器と同様に、相対向する第１の側面２１と第２の側面２２が第１の空気通路２５を介して連通し、相対向する第３の側面２３と第４の側面２４が、第１の空気通路２５と区画される第２の空気通路２６を介して連通する。これは、室内空気と室外空気が、相互に交差するように配置され、かつ相互に区画される転熱交換器２０の第１の空気通路２５と第２の空気通路２６を通過することによって熱交換されるようにしたものである。
【００２６】
また、本発明による換気装置は、室内空間の換気のために、室外流入口１７から流入する室外空気が、転熱交換器２０の第１の空気通路２５を経て第１の室内排出口１５を通して排出されるようにする給気流路と、第１の室内流入口１３から流入する室内空気が、転熱交換器２０の第２の空気通路２６を経て室外排出口１８を通して排出されるようにする排気流路とを備える。
【００２７】
給気流路は、室外流入口１７と転熱交換器２０の第１の側面２１とが連通するように本体１０内に形成される第１の給気流路３１と、転熱交換器２０の第２の側面２２と第１の室内排出口１５とが連通するように本体１０内に形成される第２の給気流路３２とからなる。この給気流路は、室外空気が、第１の給気流路３１、転熱交換器２０の第１の空気通路２５、第２の給気流路３２、第１の室内排出口１５を順に経て室内空間に供給されるようにする。また、第２の給気流路３２の内部には、給気流路を通して空気が送風されるように第１の送風ファン４１が設置され、転熱交換器２０上流の第１の給気流路３１の内部には、外部から流入する空気を浄化する第１の浄化フィルター４３が設置される。また、転熱交換器２０下流の第２の給気流路３２には、第２の給気流路３２を通して室内に供給される空気を加湿する加湿装置４４が設置される。
【００２８】
排気流路は、第１の室内流入口１３と転熱交換器２０の第３の側面２３とが連通するように本体１０内に形成される第１の排気流路３３と、転熱交換器２０の第４の側面２４と室外排出口１８とが連通するように本体１０内に形成される第２の排気流路３４とからなる。この排気流路は、室内空気が、第１の室内流入口１３、第１の排気流路３３、転熱交換器２０の第２の空気通路２６、第２の排気流路３４、室外排出口１８を順に経て室外に排気されるようにする。また、第１の排気流路３３の内部には、排気流路を通して空気が送風されるように第２の送風ファン４２が設置される。
【００２９】
ここで、第２の給気流路３２内の第１の送風ファン４１と第１の排気流路３３内の第２の送風ファン４２は、本体１０の内部構成を簡素化し、空間占有を最小化しながらも円滑な送風を可能にすべく、それぞれスタビライザー４１ａ、４２ａを備えた通常の横流ファンからなる。
【００３０】
また、本発明は、外気を導入することなく室内空気の循環を通じて室内空気の加湿を別途に遂行可能にする第１の室内循環流路３５と、外気を導入することなく室内空気の循環を通じて室内空気の浄化を別途に遂行可能にする第２の室内循環流路３６とを備える。
【００３１】
第１の室内循環流路３５は、第２の室内流入口１４と転熱交換器２０の第１の側面２１とが連通するように本体１０内に形成される。これは、第２の室内流入口１４から流入する空気が、転熱交換器２０の第１の空気通路２５上流側に流入するように構成したものである。また、第１の給気流路３１と第１の室内循環流路３５とが合う地点には、室外流入口１７から流入する空気と第１の室内循環流路３５の空気のうちいずれか一方が、転熱交換器２０の第１の空気通路２５に流入するように流路を選択して切り換えうる第１の流路切換装置５１が設置される。この第１の流路切換装置５１は、第１の給気流路３１及び第１の室内循環流路３５の出口が選択的に閉鎖されるように回転可能に設置されるダンパーと、これを駆動する駆動モーターとからなる。
【００３２】
したがって、第１の室内循環流路３５は、図６に示すように、第１の流路切換装置５１によって第１の給気流路３１が閉鎖された状態で、第１の送風ファン４１が動作するときに、第２の室内流入口１４から流入する空気が、第１の室内循環流路３５、転熱交換器２０の第１の空気通路２５、加湿装置４４、第２の給気流路３２、第１の室内排出口１５を順に経て循環するようにすることによって、外気を導入することなく室内空間の加湿を遂行可能にする。
【００３３】
第２の室内循環流路３６は、転熱交換器２０の第４の側面２４と第２の室内排出口１６とが連通するように本体１０内に形成される。この第２の室内循環流路３６は、転熱交換器２０の第２の空気通路２６を通った空気が、第２の排気流路３４を通して室外に排出されず、第２の室内排出口１６を通して室内に排出されるようにする。また、この第２の室内循環流路３６の内部には、第２の室内循環流路３６を通して室内に供給される空気を浄化する第２の浄化フィルター４５が設置される。また、第２の室内循環流路３６と第２の排気流路３４とが合う地点には、転熱交換器２０の第２の空気通路２６を通った空気が、室外に排出されたり第２の室内循環流路３６を通して室内に排出されるように流路を切り換える第２の流路切換装置５２が設置される。この第２の流路切換装置５２もまた、第２の排気流路３４及び第２の室内循環流路３６の入口を選択的に閉鎖するように回転可能に設置されるダンパーと、これを駆動する駆動モーターとからなる。
【００３４】
したがって、第２の室内循環流路３６は、図５に示すように、第２の流路切換装置５２によって第２の排気流路３４が閉鎖された状態で、第２の送風ファン４２が動作するときに、第１の室内流入口１３から流入する室内空気が、第１の排気流路３３、転熱交換器２０の第２の空気通路２６、第２の室内循環流路３６、第２の浄化フィルター４５、第２の室内排出口１６を順に経て循環するようにすることによって、外気を導入することなく室内空間の浄化を遂行可能にする。
【００３５】
一方、このように構成される換気装置において、本体１０内の各流路は、通常の換気装置と同様に、本体１０内の空間に設置される複数枚の仕切り板６１、６２、６３、６４、６５、６６、６７で相互に区画される。
【００３６】
次に、上記のように構成される換気装置の動作について説明する。
【００３７】
室内空間の換気を遂行するときには、図２及び図３に示すように、第１の流路切換装置５１によって第１の室内循環流路３５が閉鎖され、第２の流路切換装置５２によって第２の室内循環流路３６が閉鎖され、第１及び第２の送風ファン４１、４２が共に動作し、加湿装置４４が駆動される。したがって、室外空気は、室外流入口１７、第１の給気流路３１、第１の浄化フィルター４３、転熱交換器２０の第１の空気通路２５、加湿装置４４、第２の給気流路３２、第１の室内排出口１５を順に経て室内空間に供給される。このときに、流入する室外空気は、第１の浄化フィルター４３を通りつつ浄化され、加湿装置４４を通りつつ加湿される。一方、室内空気は、第１の室内流入口１３、第１の排気流路３３、転熱交換器の第２の空気通路２６、第２の排気流路３４、室外排出口１８を順に経て室外に排出される。
【００３８】
室内空気を換気させずに（すなわち、外気を導入することなく）室内空気の浄化と加湿を同時に遂行するときには、図４に示すように、第１及び第２の流路切換装置５１、５２の動作によって室外流入口１７と室外排出口１８側が閉鎖される一方で、第１の室内循環流路３５が転熱交換器２０の第１の側面２１と連通し、第２の室内循環流路３６が転熱交換器２０の第４の側面２４と連通する。また、第１及び第２の送風ファン４１、４２が共に動作し、加湿装置４４が駆動される。このときには、第１の室内流入口１３から流入する室内空気が、第１の排気流路３３、転熱交換器２０の第２の空気通路２６、第２の室内循環流路３６、第２の浄化フィルター４５を経た後に、第２の室内排出口１６を通して排出される。一方、第２の室内流入口１４から流入する室内空気は、第１の室内循環流路３５、転熱交換器２０の第１の空気通路２５、加湿装置４４、第２の給気流路３２を経て第１の室内排出口１５を通して排出される。これによって、外気を導入することなく室内空気の循環だけを通じて室内空気の浄化と加湿を遂行することが可能になる。
【００３９】
外気を導入することなく室内空気の浄化だけを単独で遂行するときには、図５に示すように、第２の流路切換装置５２によって室外排出口１８側が閉鎖され、第２の室内循環流路３６が転熱交換器２０の第４の側面２４と連通した状態で、第２の送風ファン４２だけが動作する。したがって、このときには、第１の室内流入口１３から流入する室内空気が、第１の排気流路３３、転熱交換器２０の第２の空気通路２６、第２の室内循環流路３６、第２の浄化フィルター４５を経た後に、第２の室内排出口１６を通して排出されるため、外気を導入することなく室内空気の浄化を遂行することが可能になる。
【００４０】
外気を導入することなく室内空気の加湿だけを単独で遂行するときには、図６に示すように、第１の流路切換装置５１によって室外流入口１７側が閉鎖され、第１の室内循環流路３５が転熱交換器２０の第１の側面２１と連通した状態で、第１の送風ファン４１だけが動作する。また、加湿装置４４も動作する。したがって、このときには、第２の室内流入口１４から流入する室内空気が、第１の室内循環流路３５、転熱交換器２０の第１の空気通路２５、加湿装置４４、第２の給気流路３２を経た後に、第１の室内排出口１５を通して室内に排出されるため、外気を導入することなく室内空気の加湿を遂行することが可能になる。
【図面の簡単な説明】
【００４１】
【図１】本発明による換気装置が建物に取り付けられた状態を示す斜視図である。
【図２】本発明による換気装置の内部構成を示す斜視図であって、換気動作を示すものである。
【図３】本発明による換気装置の内部構成を示す断面図であって、換気動作を示すものである。
【図４】本発明による換気装置の内部構成を示す断面図であって、外気を導入することなく室内空気の加湿及び浄化動作を遂行する状態を示すものである。
【図５】本発明による換気装置の内部構成を示す断面図であって、外気を導入することなく室内空気の浄化を単独で遂行する状態を示すものである。
【図６】本発明による換気装置の内部構成を示す断面図であって、外気を導入することなく室内空気の加湿を単独で遂行する状態を示すものである。
【符号の説明】
【００４２】
１０      本体
１３      第１の室内流入口
１４      第２の室内流入口
１５      第１の室内排出口
１６      第２の室内排出口
１７      室外流入口
１８      室外排出口
２０      転熱交換器
２５      第１の空気通路
２６      第２の空気通路
３１      第１の給気流路
３２      第２の給気流路
３３      第１の排気流路
３４      第２の排気流路
３５      第１の室内循環流路
３６      第２の室内循環流路
４１      第１の送風ファン
４２      第２の送風ファン
４３      第１の浄化フィルター
４４      加湿装置
４５      第２の浄化フィルター
５１      第１の流路切換装置
５２      第２の流路切換装置